(57)【要約】【課題】  本発明は、キッチンカウンタのコーナー部に調理スペースを確保しつつ、心理的にこの調理スペースに作業者が来るよう誘導することが出き、さらに照明によって使い勝手を向上させ得るシステムキッチンを提供することを目的とする。【解決手段】略直交する第１及び第２の方向にそれぞれ延在する第１の部分と第２の部分とを有する略Ｌ字形状に形成されてなるキッチンカウンタと、前記キッチンカウンタのコーナー部の上に設けられるアイレベルキャビネットと、前記アイレベルキャビネットに備えられた照明と、前記第１の部分と前記第２の部分との接続部において、前記キッチンカウンタの天板がせり出した延出部と、を備え、前記キッチンカウンタの前記コーナー部において前記延出部を含むように調理スペースが設けられたことを特徴とするシステムキッチンを提供する。【選択図】  図１
2008036120.tif 000002
【特許請求の範囲】
【請求項１】
略直交する第１及び第２の方向にそれぞれ延在する第１の部分と第２の部分とを有する略Ｌ字形状に形成されてなるキッチンカウンタと、
前記キッチンカウンタのコーナー部の上に設けられるアイレベルキャビネットと、
前記アイレベルキャビネットに備えられた照明と、
前記第１の部分と前記第２の部分との接続部において、前記キッチンカウンタの天板がせり出した延出部と、
を備え、
前記キッチンカウンタの前記コーナー部において前記延出部を含むように調理スペースが設けられたことを特徴とするシステムキッチン。
【請求項２】
前記アイレベルキャビネットに備えられた照明が、前記アイレベルキャビネットの下方にあることを特徴とする請求項１記載のシステムキッチン。
【請求項３】
前記アイレベルキャビネットが、前記第１及び第２の方向にそれぞれ引出し自在に収納される収納抽斗を備え、
前記収納抽斗に前記照明が備えられることを特徴とする請求項１に記載のシステムキッチン。
【発明の詳細な説明】
【技術分野】
【０００１】
本発明は、システムキッチンに関し、特に、キッチンカウンタのコーナー部に調理スペースを設けたシステムキッチンに関する。
【背景技術】
【０００２】
炊事に使用するシステムキッチンに、炊事に用いる備品や道具食材などを収納するためのキャビネットを設けると、スムーズに炊事を行うことができる。このようなキャビネットについてみると、例えば、平面視で略Ｌ型のキッチンカウンタのコーナー部の全域を占拠し、シンク方向及びコンロ方向へそれぞれ引き出し式収納をスライド可能な略直方体状のキャビネットが開示されている（特許文献１）。しかし、このキャビネットの場合、キッチンカウンタのコーナー部の全域を占拠するため、調理スペースを確保できないという問題がある。
【０００３】
また、平面視で略Ｌ型のキッチンカウンタのコーナー部背面側に、平面視で略三角形状のキャビネットを設け、このキャビネットがガイド機構とキャスターとによりコーナー部に向けてスライド可能とされたコーナーキャビネットが開示されている（特許文献２）。しかし、このコーナーキャビネットは、前方にスライドさせた状態においてやはりキッチンカウンタのコーナー部のほぼ全域を占拠してしまうため、調理スペースを確保することができなかった。
【０００４】
一方、平面視で略Ｌ型のキッチンカウンタのコーナー部背面側に、キッチンカウンタ前縁とほぼ平行に前面が形成された収納キャビネットが開示されている（特許文献３）。しかし、この収納キャビネットの下方のキッチンカウンタ上にはシンクが設けられており、キッチンカウンタのコーナー部を調理スペースとして用いることができなかった。
一方、本願出願人は、Ｌ型のキッチンカウンタの上にキャビネットが設けられたシステムキッチンを開示している（例えば、特許文献４）。
【特許文献１】特開昭５９−２１８１１１号公報
【特許文献２】特開平７−２８９３６８号公報
【特許文献３】特許第２６７６８３４号公報
【特許文献４】特開昭５８−８１０１０号公報
【発明の開示】
【発明が解決しようとする課題】
【０００５】
本発明は、キッチンカウンタのコーナー部に便利な調理スペースを確保しつつ、心理的にこの調理スペースに作業者が来るよう誘導することができ、さらに照明によって使い勝手を向上させ得るシステムキッチンを提供する。
【課題を解決するための手段】
【０００６】
本発明の一態様によれば、
略直交する第１及び第２の方向にそれぞれ延在する第１の部分と第２の部分とを有する略Ｌ字形状に形成されてなるキッチンカウンタと、
前記キッチンカウンタのコーナー部の上に設けられるアイレベルキャビネットと、
前記アイレベルキャビネットに備えられた照明と、
前記第１の部分と前記第２の部分との接続部において、前記キッチンカウンタの天板がせり出した延出部と、
を備え、
前記キッチンカウンタの前記コーナー部において前記延出部を含むように調理スペースが設けられたことを特徴とするシステムキッチンが提供される。
【発明の効果】
【０００７】
本発明によれば、キッチンカウンタのコーナー部に調理スペースを確保しつつ、心理的にこの調理スペースに作業者が来るよう誘導することが出き得るシステムキッチンを提供でき、産業上のメリットは多大である。
【発明を実施するための最良の形態】
【０００８】
以下、図面を参照しつつ本発明の実施の形態について説明する。
図１は、本発明の実施の形態にかかるシステムキッチンの基本構成を例示する模式斜視図である。  
また、図２は、図１に示す本発明の実施の形態にかかるシステムキッチンを例示するための模式平面図である。
【０００９】
本具体例のシステムキッチン１０は、平面視で略Ｌ字状のキッチンカウンタ２０を備え、コンロ５５とシンク６０とがキッチンカウンタ２０上の略同一平面上に設けられている。すなわち、システムキッチン１０は、略直交する第１及び第２の方向にそれぞれ延在する第１の部分と第２の部分とを有する略Ｌ字形状に形成されてなるキッチンカウンタ２０を有する。また、キッチンカウンタ２０の下には、フロアキャビネット２３や食洗機（食器自動洗浄機）２５などが設けられている。これら各部の表面は、例えば、汚れがつきにくい壁材や鏡面仕上げあるいは木目調仕上げの扉材などを採用することにより、手入れや掃除がしやすく美観にも優れる。さらに、ユニバーサルデザインの観点からも工夫がされている。例えば、高齢者や身体障害者が椅子１００に座りながら炊事した時に、着座した状態で膝がキッチンカウンタ２０の下側に当たらないように「ニー・スペース５４」を設け、楽な姿勢で作業を行うこともできる。このニー・スペース５４は、キッチンカウンタ２０を支える背板２７及び、フロアキャビネット２３の側板２８と食洗機２５の側板２９とに囲まれた空間として形成されている。またさらに、食洗機２５の上方のキッチンカウンタ２０には、比較的に使用頻度の低いサブ作業スペース５３が設けられている。
【００１０】
また、従来の略Ｌ型のシステムキッチンの前面側コーナーは、ほぼ直角すなわち９０度であったのに対して、本具体例では、図２に示すようにキッチンカウンタ２０のコーナー部に、作業者に向かってせり出したキッチンカウンタ２０の天板の延出部２１が設けられている。延出部２１の前面の両側のコーナー角度は、それぞれ１３５度程度の角度を有する。尚、このコーナー角度は１２０度以上であることが望ましい。もし、１２０度以下であれば、座位作業時に作業者の腕・肘がキッチンカウンタ２０のコーナー部と干渉することがあるからである。
【００１１】
このような延出部２１を設けることにより、キッチンカウンタ２０のコーナー部において作業者との間の空間領域を有効利用でき、後述する調理スペース５０を確保することができる。
【００１２】
略Ｌ字状のキッチンカウンタ２０のコーナー部には、その高さにアイレベルすなわち立位あるいは座位の作業者の目の高さ位置を含んでいるアイレベルキャビネット３０がその背面をキッチンカウンタ２０の背面と連なるように設けられている。つまり、キッチンカウンタ２０のコーナー部の上において、キッチンカウンタ２０の背面に沿ってアイレベルキャビネット３０が設けられている。そして、延出部２１の前縁２０ａとアイレベルキャビネット３０の前面との間にできるキッチンカウンタのスペースが調理スペース５０となる。この調理スペース５０は、コンロ５５とシンク６０との間に位置し、水洗いした食材を加工したり、コンロで加熱した鍋などの調理用器具などを臨時的に置いたり、料理を食器に盛りつけるなどの一連の作業を行うことができる場所もある。
【００１３】
またさらに、キッチンカウンタ２０とアイレベルキャビネット３０との間には隙間が設けられ、この隙間も補助的な調理スペースとして利用することができる。すなわち、キッチンカウンタ２０と、アイレベルキャビネット３０の底板と、により挟まれた空間が隙間として設けられている。  
図３は、アイレベルキャビネット３０の平面寸法を例示する模式図である。アイレベルキャビネット３０の前面の幅は例えば４２ｃｍであり、この前面の両端部における奥行きは２４ｃｍであり、奥行きの最大寸法は５２ｃｍである。このようなサイズのスペースがあると、後に詳述するように、標準的なサイズのまな板やボウルなどを完全に収納することが可能となる。
【００１４】
このアイレベルキャビネット３０は、キッチンカウンタ２０背面に沿って２つの収納部３９が略直角に設けられ、それらの内部には収納抽斗４０がスライド引き出し自在にそれぞれ設けられている。なお、図１は、これら収納抽斗４０がそれぞれ引き出された状態を表す。これら収納抽斗４０は、収納部３９の長軸に沿って第１、第２の方向にそれぞれ独立にスライドする。なお本実施例で第１の方向はアイレベルキャビネット３０のあるコーナー部からシンク６０の方向に、第２の方向はコーナー部からコンロ５５の方向にスライドするものとする。なお２つの収納部３９はキッチンカウンタと同様に、略直交する第１及び第２の方向にそれぞれ延在する第１の部分と第２の部分とを有する略Ｌ字形状に形成されている。またその収納部３９に収納抽斗４０が引き出し自在に収納している。
【００１５】
アイレベルキャビネット３０の内部には、キッチンカウンタ２０の天板に対して略平行な棚板４５が設けられている。立位及び座位の作業者からみて少なくともアイレベル位置にある棚板４５の前縁４５ａを含むコーナー面４５ｂと延出部２１の前縁２０ａとは、略平行となっている。コーナー面４５ｂとは、アイレベルキャビネット３０の前面に位置し、キッチンカウンタ２０の天板に略垂直な面をいう。そして、前縁２０ａの寸法Ｌ１よりもコーナー面４５ｂの幅方向寸法Ｌ２の方が同じまたは長いものとなっている。
【００１６】
本実施形態では、このような構成を取るため、心理的に作業者が調理スペース５０に来るよう誘導することができる。人は、平行な面の前に正対すると心が落ち着くという性質を有する。特に、アイレベル位置に平行な面があれば無意識のうちにその平行な面に正対して作業をするようになる。すなわち、アイレベルキャビネット３０の前面のコーナー面４５ｂに正対して作業をすることを無意識のうちに望むようになり、作業者がコーナー面４５ｂの前方の調理スペース５０で作業をするためにそこに来るよう誘導することができるようになる。また、前縁２０ａの寸法Ｌ１よりもコーナー面４５ｂの幅方向寸法Ｌ２の方が長いものとなっているため、アイレベル位置により広い平行な面ができ、さらに効果的に作業者を誘導できることになる。
【００１７】
このように、本実施形態によれば、コーナー面４５ｂと延出部２１の前縁２０ａとが略平行となっているので、そこに立つだけでも平行なコーナー面４５ｂと正対することになり、心が落ち着きそこでの作業能率も高くなるという効果を生じる。また、延出部２１の前縁２０ａが直線のため作業者が作業をする際に腹部を当てながら作業ができ、直ぐ前面に調理に用いる備品、道具食材などを収納するためのアイレベルキャビネット３０も設けられているので調理スペース５０での作業がますます容易となる。このように、心理的にも落ち着き、かつ、作業がし易い調理スペース５０に、無意識のうちに作業者が来るようになる。その結果、使い勝手の良さからも作業者を心理的にさらに誘導しやすくなる。
【００１８】
さて、調理における作業動作の中心は、まな板やボウルなどを使った調理作業であり、これを中心にシンクを使った作業やコンロを使った作業のために放射状に動くことになる。本実施形態においては、略Ｌ字状のキッチンカウンタ２０のほぼ中央であるコーナー部に調理スペース５０を設け、ここに作業者が来るよう心理的に誘導することができる。そのため、キッチンカウンタ２０のほぼ中央であるコーナー部をメイン作業区域（主に作業をする場所）として、放射状にシンクを使った作業やコンロを使った作業ができることになり、一連の作業をも効率的に行えるという効果も生じる。
【００１９】
図４は、調理スペースの寸法関係を例示する模式図である。  
延出部２１の前縁２０ａとアイレベルキャビネット３０の前面との寸法Ｌ３（調理スペース５０の奥行き寸法）は、調理に用いる中心的な道具であるまな板やボウルが置ける寸法で、かつ、アイレベルキャビネット３０まで手が届く寸法である必要がある。ここで、まな板の寸法はその作業性を考慮すると２０センチメートルが最小と考えられる。成人女性の腹部から指先までの寸法は短い人で７０センチメートル程度であるので、上体を軽く屈めてアイレベルキャビネット３０まで手が届くのは図４に示すように６５センチメートル程度と考えられる。
【００２０】
そのため、延出部２１の前縁２０ａとアイレベルキャビネット３０の前面との寸法範囲（調理スペース５０の奥行き寸法範囲）は２０センチメートル〜６５センチメートルとすることが望ましい。さらに、６０センチメートルとすれば楽にアイレベルキャビネット３０まで手が届くこと、成人女性の肘から指先までの寸法が短い人で３０センチメートル程度であることを考慮すると、３０センチメートル〜６０センチメートルとすることが作業性の面からより望ましい。さらに、成人女性の肘から指先までの寸法が長い人を考慮すると、肘から指先までの寸法が４５センチメートル程度であるので、４５センチメートル〜６５センチメートルとすることがより望ましい。このようにすれば、アイレベルキャビネット３０から必要な調理器具や調味料等の備品を取り出す際にも、移動することなく、手を伸ばすだけで取り出せるので、「作業動線」を縮小でき、作業をスムーズにかつ楽に行うことができるので作業者を心理的にさらに誘導しやすくなる。
【００２１】
本実施形態によれば、作業者がアイレベルキャビネット３０に正対したときに、コーナー面４５ｂの幅方向の両端が前縁２０ａの両端より外側に出るようにしている。このようにすれば、コーナー面４５ｂの幅方向の片端が外側に出ているときよりも作業者の心を落ち着かせ、作業者を心理的にさらに誘導しやすくなる。
【００２２】
図５は、図１に示す本発明の実施の形態にかかるシステムキッチンの調理スペース５０付近の断面を例示するための模式断面図である。  
同図に示すように、キッチンカウンタ２０の天板とアイレベルキャビネット３０の底面との間に隙間３１を設けることもできる。ただし、アイレベルキャビネット３０の底面が座位の作業者のアイレベル位置よりも下になるようにする。そのようにすれば、アイレベル位置にコーナー面４５ｂを確保することが可能となるので前述の作業者の誘導効果は失われることがない。
【００２３】
そして、このような隙間３１を設ければ、調理のための作業スペースがさらに広くなり作業もし易くなる、また、調理に使う他の道具や材料を収納することも可能となるので他の場所に移動することなしに多くの作業がメイン作業区域にいながらにしてできることにもなる。特に、調理作業の中心となる道具であるまな板を収納したり、まな板を収納する手段を別途設けるようにすれば、作業能率をさらに向上させることができるので、作業者を心理的にさらに誘導しやすくなる。
【００２４】
アイレベルキャビネット３０の前面にはスライド開閉式の扉を設けることができる。このようにすれば、扉前面がコーナー面４５ｂとなるので、より明確で広いコーナー面を確保することができる。また、スライド式とすれば作業者側に出っ張ってこないので調理スペース５０が狭くなったり、圧迫感が増したりするようなこともない。そのため、さらに圧迫感が少なく落ち着くので、作業者を心理的により誘導しやすくなる。
【００２５】
また、扉を設けるだけでも煩雑感がなくなりすっきりする。さらに、扉の材質を不透明なものとすればアイレベルキャビネット３０の収納物が見えなくなり煩雑感がなくなるのでさらに圧迫感が減少する。一方、半透明とすれば収納物を識別することが可能となると同時に違和感も少なくなり美的外観にも優れたものとなる。本発明者は、検討の結果、少なくとも扉の一部をすりガラスや半透明の樹脂などとすることが望ましく、さらにほぼ全面をすりガラスや半透明の樹脂で構成すればより望ましいとの知見を得た。そして、このような構成を採用することで、作業者を心理的にさらに誘導しやすくすることができる。また、アイレベルキャビネットに扉を設ければ防虫効果も高まり衛生面でも優れた効果を生じる。
【００２６】
また本実施形態においては、アイレベルキャビネット３０の前面上方に、照明８２を設けている。
図６は照明８２からスポット光Ｌが照射されている状況を示す模式図である。
この照明８２はスポット光Ｌがアイレベルキャビネット３０の前方に拡がり延出部２１を含む調理スペース５０を照らすことができるようにされている。調理スペース５０を照明手段で照らすことができれば、調理作業がし易くなるばかりではなく、スポットライト的な効果により作業者を心理的にさらに誘導しやすく、また心地よく調理作業ができる。なお、照明を付ける為のスイッチはアイレベルキャビネット３０の底板６５に設けられている。
【００２７】
キッチンカウンタ２０とアイレベルキャビネット３０の間に隙間３１がある場合、アイレベルキャビネットの底板６５に照明８３を設けた第二実施例を図７に示す。なお図８は、図７に示すＡ−Ａ´面で切った第二実施例の模式断面図である。この照明８３はスポット光Ｌが前方に拡がり延出部２１を含む調理スペース５０を照らすことができるようにコーナー部奥で使用者に正対した位置に設置されている。このように照明８３がアイレベルキャビネット３０の下方にあり、作業者の目線より下にあると、さらに使い勝手が良い。  なお、本明細書で下方とは、座位の作業者のアイレベル位置よりも下に底板６５があり、その底板６５に照明が取り付けられているので照明も作業者のアイレベル位置より下に位置する。調理中は作業者が包丁で野菜を切ったり、ボウルの中にあるものを混ぜたりする時、作業者が立つ位置に対して作業する調理スペース５０は前方にあるため、作業者の上体は必然的に前傾する。よって作業者の上方から照らす照明の場合、作業者の頭部や上半身に照明の光がさえぎられることがある。よって照明が作業者のアイレベル位置より下にあることで、遮られる光が減少し、作業者の手元が明るく作業しやすい。本実施例では作業者の手が届かないアイレベルキャビネット下面のコーナー最奥に照明を設置し、奥から調理スペース５０に向けて光を照射することで、作業者の手元を照らすことができる。
【００２８】
本実施例ではキッチンカウンタ２０とアイレベルキャビネット３０との間に隙間３１が設けられており、この隙間３１を補助的な調理スペースとして利用する際に、照明８３に物がぶつかっても照明が割れない障壁となるカバー９５が取り付けられる。このカバー９５は半透明であり光は透過させるが、衝撃を受けた時には衝撃を和らげ、照明が割れないように設けられるものである。なお、照明を付ける為のスイッチ６６はアイレベルキャビネット３０の底板６５に設けられている。
【００２９】
図９はアイレベルキャビネット３０の前面の上下スライド開閉式の扉９０の前面に照明８４を設けた第三実施例である。この上下スライド開閉式の扉９０は扉の下端に把持部３５があり、この把持部３５と平行に照明８４は取り付けられている。この照明８４はスポット光Ｌがアイレベルキャビネット３０の前方に拡がり延出部２１を含む調理スペース５０を照らすことができるように、下向きに光を照射するように設置されている。このようにスライド開閉式の扉９０の前面に照明をとりつけると、扉９０を上昇させるときに照明８４の位置も上昇する。図１０にスライド扉９０を上昇させた状態を示す。このようにスライド扉９０を上昇させた時に上扉の把持部３６に照明９０がぶつからない位置でスライドを止めるストッパーがスライド扉９０には設けられている。このようにスライド扉９０を上昇させると、深さのあるボウルで照明の光が遮られてしまう時にも、照明の位置が上昇することによってボウル内が明るく照らされ、作業がしやすい。また照明の位置が上昇することで調理スペース５０を照らす範囲が広がり、広い範囲で作業する調理の時にも役立つ。なお、本実施例の照明９０は電池式の照明でありコードを必要としない為、扉部分に設置可能である。またスイッチは照明の右端に設置されている。
【００３０】
図１１に縦長の照明８５をアイレベルキャビネットの収納抽斗４０に設けた第四実施例を示す。なお、照明８５は扉９１の上端より低い位置に設置され、収納抽斗４０を閉じた際に収納部３９と干渉しない高さである。本実施例のアイレベルキャビネット３０は、キッチンカウンタ２０平面に沿って２つの収納部３９が略直角に設けられ、それらの内部に設けられた収納抽斗４０が収納部３９の長軸に沿ってスライドする。この収納抽斗４０の扉９１の内面に照明８５を設置することで、アイレベルキャビネット３０の前方に光が拡がり延出部２１を含む調理スペース５０を照らすことができる。よってこの照明８５を設けた収納抽斗４０を開けると照明８５は作業者の斜め横方向からスポット光を調理スペース５０に向けて照らすことができる。これによって、前述したような作業者の前傾姿勢で頭部や上半身から光が遮られる問題を改善することが出来る。またこの照明は収納抽斗４０を開けると自動的に点灯し、作業者の手を煩わせない。なお、この照明のスイッチは収納抽斗４０が開閉される時に入切するように収納抽斗４０の扉に突起したスイッチ７７が設けられており、扉が閉まる時にその突起部が押さえられ扉に収納されることでスイッチが切の状態になる。また扉が開く時には突起部に設けたバネによって突起部が跳ね上がり、スイッチ入の状態になる。なお、本実施例での照明は電池式でありコードを必要としない為、収納抽斗４０の開閉にも問題がない。
【００３１】
図１２は第四実施例で、収納抽斗４０を閉じた時の様子を示す。このように収納抽斗４０を閉じると、照明８５が収納部３９に収納され、不使用時に使用者が照明に手をぶつけたり、子供が照明に触れたり、といった危険を回避することができる。本実施例では収納抽斗４０の内部に照明を取り付けており、収納抽斗４０を閉じている際に照明が露出せず意匠性が増す。
【００３２】
このように  本発明は、キッチンカウンタのコーナー部に便利な調理スペースを確保しつつ、心理的にこの調理スペースに作業者が来るよう誘導することができ、さらに照明によって使い勝手を向上させ得るシステムキッチンを提供することができる。また、照明をアイレベルキャビネットの下方に設置することで、作業者の頭部によって照明が遮られることがない為、作業者の手元が暗くならずに調理が可能となり、調理スペースを快適に利用することが出来る。また、照明を収納抽斗のような可動部に設置し、可動部を移動させることで照らす範囲を変えたり、不要時に収納部にすっきり片付けることができるといった効果がある。
【００３３】
以上、具体例を参照しつつ本発明の実施形態について説明した。しかし、本発明はこれら具体例に限定されるものではない。  
本発明のシステムキッチン１０は、その一部を台所の壁面に接して設置してもよく、あるいは壁面から離間させて設置してもよい。例えば、アイレベルキャビネット３０の背後には台所の壁面があり、そこからシンクを横方向に突出させることにより、シンクの部分を対面式にすることかできる。このような、いわゆる対面型のシステムキッチンも本発明の範囲に包含される。
【００３４】
本発明において用いられるキャビネット３０やこれらに付設される要素などは図示した収納抽斗、数、方向、形状、サイズ、配置、取手の形状、取り付け面、に限定されず、当業者が適宜変更を加えたものであっても、本発明の要旨を変更しない範囲において適宜設計変更して採用したものも、本発明の要旨を有する限りにおいて本発明の範囲に包含される。
【００３５】
また、システムキッチンのレイアウトに関しても、例示したものに限定されず、本発明の要旨を変更しない範囲において適宜設計変更して採用したものも、本発明の要旨を有する限りにおいて本発明の範囲に包含される。
【図面の簡単な説明】
【００３６】
【図１】本発明の実施の形態にかかるシステムキッチンの基本構成を例示する模式斜視図である。
【図２】図１に示す本発明の実施の形態にかかるシステムキッチンを例示するための模式平面図である。
【図３】棚板の寸法を例示した模式図である。
【図４】上体を軽く屈めてアイレベルキャビネットまで手を伸ばした状態を例示した模式図である。
【図５】図１に示す本発明の実施の形態にかかるシステムキッチンの調理スペース５０付近の断面を例示するための模式断面図である。
【図６】本発明の実施の形態にかかるシステムキッチンの照明からスポット光Ｌを照射している状態を例示する模式斜視図である。
【図７】アイレベルキャビネット３０の下方に照明を設置した場合を示す模式図である。
【図８】図７に示すアイレベルキャビネット３０の下方に照明を設置した場合を示す模式断面図である。
【図９】アイレベルキャビネット３０の前面の上下スライド開閉式の扉９０に照明８４を設置した場合を示す模式図である。
【図１０】図９に示す上下スライド開閉式の扉９０を開けた状態を示す模式図である。
【図１１】縦長の照明８５をアイレベルキャビネットの収納抽斗４０に設置した場合を示す模式図である。
【図１２】図１１に示す収納抽斗４０を閉じた状態を示す模式図である。
【符号の説明】
【００３７】
１０  システムキッチン、２０  キッチンカウンタ、  ２０ａ  前縁、  ２１  延出部、  ２３  フロアキャビネット、  ２５  食洗機、  ３０  アイレベルキャビネット、  ３１  隙間、３５  把持部、３９  収納部、  ４０  収納抽斗、  ４５  棚板、  ４５ａ  前縁、  ４５ｂ  コーナー面、  ５０  調理スペース、  ５３  サブ作業スペース、  ５４  ニー・スペース、  ５５  コンロ、６０  シンク、６５  底板、７７  スイッチ、８２〜８５  照明、９１  扉、９５  カバー、１００  椅子
【図１】
2008036120.tif 000003
【図２】
2008036120.tif 000004
【図３】
2008036120.tif 000005
【図４】
2008036120.tif 000006
【図５】
2008036120.tif 000007
【図６】
2008036120.tif 000008
【図７】
2008036120.tif 000009
【図８】
2008036120.tif 000010
【図９】
2008036120.tif 000011
【図１０】
2008036120.tif 000012
【図１１】
2008036120.tif 000013
【図１２】
2008036120.tif 000014